(57)【特許請求の範囲】
【請求項１】
機器の接地線に設けられる接地抵抗測定用の接続器であって、
機器側の接地線が接続された機器側端子と、接地側の接地線が接続された接地側端子とが設けられた端子盤と、
前記端子盤に取り付けられ、接地抵抗測定器の端子を挿入して前記機器側端子及び前記接地側端子にそれぞれ接触させるための測定穴が形成されているカバーと、
前記機器側端子と前記接地側端子とを接続する接続位置と、前記機器側端子と前記接地側端子とを切断する切断位置との間で変位できるように、前記カバー内に配された接続部材と、
前記カバーの外に配された把持部と、該把持部と前記接続部材とを連結する連結部とを有し、前記接続部材を前記接続位置と前記切断位置との間で変位させる際に操作される操作部と、
を備え、
前記把持部は、前記連結部に対して着脱可能であり、
前記連結部は、前記接続部材に固定され前記把持部が着脱可能である回転軸と、前記カバーに固定され前記回転軸を回転自在に支持する軸受とを有する接地抵抗測定用の接続器。
【請求項２】
前記測定穴に、前記接地抵抗測定器の端子を挿入することにより開き、前記接地抵抗測定器の端子を抜き出すことにより閉じるシール部材が取り付けられている請求項１に記載の接地抵抗測定用の接続器。
【発明の詳細な説明】
【技術分野】
【０００１】
本発明は、接地抵抗測定用の接続器に関する。
【背景技術】
【０００２】
電柱に設置された変圧器等の機器の接地線に設けられる接地抵抗測定用の接続器として、カバーの開閉により機器側の端子と接地極側の端子とを接続及び切断するものが知られている（例えば、特許文献１、２参照）。この接地抵抗測定用の接続器では、カバーに取り付けられた接点板の両端にクリップ部が設けられており、カバーの開閉により、クリップ部が端子に対して着脱されることで、両側の端子が接続及び切断される。
【先行技術文献】
【特許文献】
【０００３】
【特許文献１】特開平７−２７８００号公報
【特許文献２】特開２００３−１８５６８７号公報
【発明の概要】
【発明が解決しようとする課題】
【０００４】
ところで、接地抵抗測定用の接続器を、電柱の外に設置する場合には、風雨等の影響により端子や接点板が腐食することを防ぐために、防水性・防塵性を確保する必要がある。上記の接地抵抗測定用の接続器では、カバーを開閉式としたことにより、防水性・防塵性を確保するための複雑なシール構造が必要となっている。
【０００５】
本発明は、上記事情に鑑みてなされたものであり、機器側の端子と接地側の端子とを接続・切断する作業を容易に行うことができると共に、防水性・防塵性を容易に確保することができる、接地抵抗測定用の接続器を提供することを課題とするものである。
【課題を解決するための手段】
【０００６】
上記課題を解決するために、本発明に係る接地抵抗測定用の接続器は、機器の接地線に設けられる接地抵抗測定用の接続器であって、機器側の接地線が接続された機器側端子と、接地側の接地線が接続された接地側端子とが設けられた端子盤と、前記端子盤に取り付けられ、接地抵抗測定器の端子を挿入して前記機器側端子及び前記接地側端子にそれぞれ接触させるための測定穴が形成されているカバーと、前記機器側端子と前記接地側端子とを接続する接続位置と、前記機器側端子と前記接地側端子とを切断する切断位置との間で変位できるように、前記カバー内に配された接続部材と、前記カバーの外に配された把持部と、該把持部と前記接続部材とを連結する連結部とを有し、前記接続部材を前記接続位置と前記切断位置との間で変位させる際に操作される操作部と、を備え、前記把持部は、前記連結部に対して着脱可能であり、前記連結部は、前記接続部材に固定され前記把持部が着脱可能である回転軸と、前記カバーに固定され前記回転軸を回転自在に支持する軸受とを有する。
【０００９】
上記接地抵抗測定用の接続器において、前記測定穴に、前記接地抵抗測定器の端子を挿入することにより開き、前記接地抵抗測定器の端子を抜き出すことにより閉じるシール部材が取り付けられていてもよい。
【発明の効果】
【００１０】
本発明によれば、機器側の端子と接地側の端子とを接続・切断する作業を容易に行うことができると共に、当該作業のためにカバーを開閉する必要がないので、防水性・防塵性を容易に確保することができる。
【図面の簡単な説明】
【００１１】
【図１】一実施形態に係る接地抵抗測定用の接続器が設置された電柱を示す図である。
【図２】把持部を取り付けた状態の接続器を示す正面図である。
【図３】把持部を取り外した状態の接続器を示す正面図である。
【図４】図２の４−４断面図である。
【図５】図４の５−５断面図である。
【図６】接地抵抗の測定が行われている状態の接続器を示す側断面図である。
【図７】図６の７−７断面図である。
【発明を実施するための形態】
【００１２】
以下、図面を参照しながら、本発明を実施するための形態を説明する。図１は、一実施形態に係る接地抵抗測定用の接続器１０が設置された電柱１を示す図である。この図に示すように、接続器１０は、電柱１にバンド２で固定されており、電柱１に設置された変圧器３と地下に設けられた接地極４とを接続する接地線５に設けられている。
【００１３】
図２は把持部４４を取り付けた状態の接続器１０を示す正面図であり、図３は、把持部４４を取り外した状態の接続器１０を示す正面図である。また、図４は、図２の４−４断面図であり、図５は、図４の５−５断面図である。これらの図に示すように、接続器１０は、接地抵抗測定用の端子盤２０と、端子盤２０に取り付けられたカバー３０と、接続器１０の接続・切断の切り替えの際に操作される操作部４０とを備えている。端子盤２０上には、変圧器３側の接地線５Ａに接続された変圧器３側の端子２２Ａと、接地極４側の接地線５Ｂに接続された接地極４側の端子２２Ｂと、端子２２Ａと端子２２Ｂとの間を電気的に接続・切断する接点板２４とが設けられている。
【００１４】
端子２２Ａと端子２２Ｂとは互いに上下に離間して設けられている。端子２２Ａ、２２Ｂの裏面側にはそれぞれ板ナット２６Ａ、２６Ｂが配されている。また、端子２２Ａと板ナット２６Ａとの間、端子２２Ｂと板ナット２６Ｂとの間にはそれぞれ、接地線５Ａ、５Ｂが挟み込まれている。そして、板ナット２６Ａ、２６Ｂがそれぞれ、一対のネジ２８により端子２２Ａ、２２Ｂにネジ止めされている。これにより、接地線５Ａが端子２２Ａに接続され、接地線５Ｂが端子２２Ｂに接続されている。
【００１５】
接点板２４は、銅等の導電性を有し、かつ弾性変形可能である長方形状の板材であり、その長手方向両端は、円弧状に湾曲されている。この接点板２４の長手方向一端及び他端はそれぞれ、弾性変形した状態で、端子２２Ａと端子２２Ｂとに圧接している。
【００１６】
カバー３０は、端子盤２０の盤上や周囲を覆う直方体状の部材であり、その長手方向中央部には、軸受３２が埋設され、この軸受３２には回転軸３４が回転自在に支持されている。この回転軸３４の先端は、接点板２４の長手方向中央部に固定されている。また、回転軸３４の中心には、長孔３４Ａが形成されている。ここで、軸受３２は、防水・防塵性能に優れたシール付き軸受であり、インナーとアウターとの間がリップ部によりシールされている。なお、回転軸３４は、軸受３２のインナーに嵌合している。
【００１７】
また、カバー３０には一対の接地抵抗測定用の穴（以下、測定穴という）３６Ａ、３６Ｂが形成されている。測定穴３６Ａは、端子２２Ａに面して配され、測定穴３６Ｂは、端子２２Ｂに面して配されている。ここで、測定穴３６Ａ、３６Ｂの穴壁には円環状のゴム等の弾性材料で形成されたシール部材３８が取り付けられている。このシール部材３８は、接地抵抗測定器のプローブ６が測定穴３６Ａ、３６Ｂに挿入されていない状態では、測定穴３６Ａ、３６Ｂを塞ぎ、防水及び防塵機能を発揮する。一方、シール部材３８は、プローブ６が測定穴３６Ａ、３６Ｂに挿入された状態では、弾性変形して測定穴３６Ａ、３６Ｂの中心を開口させる。
【００１８】
操作部４０は、上述の軸受３２及び回転軸３４からなる連結部４１と、回転軸３４に着脱される軸４２と、軸４２に固定された把持部４４とを備えている。軸４２の一端側には、回転軸３４の長孔３４Ａと嵌合する嵌合部４２Ａが形成されている。この嵌合部４２Ａは、回転軸３４の中心に対して対称にＤ字状の切欠部（Ｄカット部）を形成することにより、長孔３４Ａと雌雄の関係にある形状に形成されている。
【００１９】
把持部４４は、長孔３４Ａの長手方向と直交する方向を長手方向とする直方体状のツマミであり、軸４２が回転軸３４に装着された状態で、把持部４４の長手方向と接点板２４の長手方向とが平行になる。
【００２０】
図６は、接地抵抗の測定が行われている状態の接続器１０を示す側断面図である。また、図７は、図６の７−７断面図である。これらの図に示すように、作業者が、縦向きの状態の把持部４４を、軸４２の回りに９０°回転させると、縦向きの状態であった接点板２４が、操作部４０と共に軸４２の回りに９０°回転する。これにより、接点板２４の長手方向一端部及び他端部がそれぞれ、端子２２Ａ、２２Ｂから離間し、接地線５が端子２２Ａと端子２２Ｂとの間で切断される。
【００２１】
そして、作業者は、接地抵抗測定器のプローブ６を測定穴３６Ａ、３６Ｂ及びシール部材３８に挿入し、その先端を端子２２Ａ、２２Ｂに当接させ、この状態で、変圧器３と接地極４との間の接地抵抗を測定することになる。
【００２２】
また、作業者は、接地抵抗の測定を終了すると、プローブ６を測定穴３６Ａ、３６Ｂ及びシール部材３８から抜き出し、横向きの状態の把持部４４を、軸４２の回りに９０°回転させる。これにより、横向きの状態であった接点板２４が、操作部４０と共に軸４２の回りに９０°回転して、接点板２４の長手方向一端部及び他端部がそれぞれ、端子２２Ａ、２２Ｂに接触し、接地線５が端子２２Ａと端子２２Ｂとの間で接続される。
【００２３】
ここで、プローブ６を測定穴３６Ａ、３６Ｂ及びシール部材３８から抜き出すと、シール部材３８が弾性力で復元して測定穴３６Ａ、３６Ｂを塞ぐ。これにより、シール部材３８が、防水・防塵機能を発揮し、カバー３０内への水や粉塵の浸入を防ぐ。
【００２４】
また、作業者は、接地抵抗の測定を終了し、接地線５を接続状態に戻した後は、把持部４４を回転軸３４から取り外すことになる。即ち、図３に示すように、接続状態の接続器１０は、把持部４４が装着されていない状態となり、この状態では、接点板２４を回転させることができず、接続器１０を切断状態に切り替えることができない。
【００２５】
以上、本実施形態に係る接続器１０では、カバー１０にプローブ６を挿入するための測定穴３６Ａ、３６Ｂを形成すると共に、接点板２４を接続位置と切断位置との間で変位させる際に操作される操作部４０として、接点板２４に連結された把持部４４がカバー３０の外に配されたものを設けた。これにより、カバー１０を開閉することなく、機器側の端子２２Ａと接地側の端子２２Ｂとを接続及び切断することができ、かつ、プローブ６を端子２２Ａと端子２２Ｂとに接触させて接地線５の接地抵抗を測定することができる。
【００２６】
従って、カバー１０を開閉したり、ネジを回したりすることなく、機器側の端子２２Ａと接地側の端子２２Ｂとを接続及び切断することができ、また、カバー１０を開閉式とすることに伴うシール構造の複雑化を不要にできる。よって、機器側の端子２２Ａと接地側の端子２２Ｂとを接続・切断する作業を容易に行うことができると共に、防水性・防塵性を容易に確保できる。
【００２７】
また、本実施形態に係る接続器１０では、把持部４０が接点板２４に固定された回転軸３４に対して着脱可能である。これにより、接地抵抗を測定する際以外には、把持部４４が接続器１０に装着されていない状態にすることができ、接続器１０が切断状態に切り替えられないようにすることができる。
【００２８】
また、本実施形態に係る接続器１０では、接点板２４と把持部４４とを連結する連結部４１を、接点板２４に固定され把持部４４が着脱可能である回転軸３４と、カバー３０に固定され回転軸３４を回転自在に支持する軸受３２とにより構成した。また、軸受３２を防水・防塵性能に優れたシール付きの軸受とした。これにより、連結部４１における防水・防塵性を確保できる。
【００２９】
また、本実施形態に係る接続器１０では、測定穴３６Ａ、３６Ｂに、プローブ６を挿入することにより開き、プローブ６を抜き出すことにより閉じるシール部材３８を取り付けた。これにより、測定穴３６Ａ、３６Ｂにおける防水・防塵性を確保できる。
【００３０】
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、上記実施の形態では、接続器１０の接続・切断を切り替えるスイッチを回転式（ロータリ式）としたが、スライド式としてもよい。
【００３１】
また、上記実施の形態では、測定穴３６Ａ、３６Ｂにシール部材３８を取り付けたが、着脱可能なキャップ部材を取り付ける等して防水・防塵してもよい。また、上記実施の形態では、接点板２４の両端を、自身の弾性力で端子２２Ａ、２２Ｂに当接させるように構成した。しかし、接点板２４の両端を介して端子２２Ａ、２２Ｂと対向する楔構造の部材を設け、接点板２４を接続位置へ変位させると、該部材の楔構造の作用により、接点板２４の両端が端子２２Ａ、２２Ｂに接触するように構成する等してもよい。
【符号の説明】
【００３２】
１  電柱、２  バンド、３  変圧器、４  接地極、５、５Ａ、５Ｂ  接地線、６  プローブ（接地抵抗測定器の端子）、１０  接地抵抗測定用の接続器、２０  端子盤、２２Ａ  端子（機器側端子）、２２Ｂ  端子（接地側端子）、２４  接点板（接続部材）、２６Ａ、２６Ｂ  板ナット、２８  ネジ、３０  カバー、３２  軸受、３４  回転軸  ３４Ａ  長孔、３６Ａ、３６Ｂ  測定穴、３８  シール部材、４０  操作部、４１  連結部、４２  軸、４４  把持部
【図１】
0005253473.tif 000002
【図２】
0005253473.tif 000003
【図３】
0005253473.tif 000004
【図４】
0005253473.tif 000005
【図５】
0005253473.tif 000006
【図６】
0005253473.tif 000007
【図７】
0005253473.tif 000008